(57)【要約】      （修正有）【課題】製本処理において、他のシートと区別するシートを普通紙により実現するシート処理装置を提供する。【解決手段】シート処理装置は、シートを搬送する搬送部、前記シートに対して折り処理を施す折り手段、前記シートに綴じ処理を施す綴じ手段、及び冊子を製本する制御を行う制御部を有する。折り手段は、シート長手方向中央部からシート搬送方向上流へ所定寸法離れた第１の折り位置又はシート搬送方向下流へ所定寸法離れた第２の折り位置の何れか一方を折り位置として折り処理を施す。制御部は、折り処理が施され、折り位置を境として第１領域αと当該第１領域よりも狭い第２領域βを有する第１のシートと、折り処理が施されていない第２のシートとを併せて綴じ処理を施す制御を行う。【選択図】図５
2014136615.tif 000002
【特許請求の範囲】
【請求項１】
シートを搬送する搬送部と、
前記シートに対して、シート長手方向中央部からシート搬送方向上流へ所定寸法離れた第１の折り位置又はシート搬送方向下流へ所定寸法離れた第２の折り位置の何れか一方を折り位置とした折り処理を施す折り手段と、
前記シートに綴じ処理を施す綴じ手段と、
前記折り処理が施され、前記折り位置を境として第１領域と当該第１領域よりも狭い第２領域を有する第１のシートと、前記折り処理が施されていない第２のシートとを併せて前記綴じ処理を施し、冊子を製本する制御を行う制御部と、
を備えるシート処理装置。
【請求項２】
前記制御部は、前記第１のシートを前記冊子の最前面若しくは最背面の少なくとも一方として前記綴じ処理を施す制御を行う、
請求項１に記載のシート処理装置。
【請求項３】
前記制御部は、前記冊子の前記最前面及び前記最背面のシートが前記第１のシートである場合、前記折り処理において、前記最前面及び前記最背面のシートの前記第１領域がそれぞれ前記冊子の外側となるように前記折り位置を設定する制御を行う、
請求項２に記載のシート処理装置。
【請求項４】
前記制御部は、前記冊子の大きさが所定の大きさより大きい第１のサイズである場合、前記折り処理において前記シート長手方向中央部と前記第１の折り位置との間隔を広くし、前記冊子の大きさが第１のサイズより小さい第２のサイズである場合、前記間隔を狭くする制御を行う、
請求項１乃至請求項３の何れか１項に記載のシート処理装置。
【請求項５】
前記制御部は、前記第１のシートの折り目をシート搬送方向下流に位置付け、前記綴じ手段による綴じ位置を、予め設定された第１の綴じ位置よりも前記シート搬送方向下流に位置する第２の綴じ位置に設定する制御を行う、
請求項１乃至請求項４の何れか１項に記載のシート処理装置。
【発明の詳細な説明】
【技術分野】
【０００１】
本発明の実施形態は、画像形成装置にて画像を形成されたシートに対して所定の処理を行うシート処理装置に関する。
【背景技術】
【０００２】
従来、画像形成後のシートへソート、ステイプル、或いは折り処理などを施すシート処理装置がある。シート処理装置は、複数のシートからなるシート束に対してステイプル処理を行うことで簡易的な冊子を製本することが出来る。
【０００３】
上記の製本処理においては、他のシートとの区別をつけるために一部のシートに厚紙を使用することがある。一部のシートとは、例えば、表表紙、裏表紙、及び章区切り紙などである。
【０００４】
しかしながら厚紙を用いる場合、ステイプルミスが起きてしまったり、コストが高くなったりしてしまうといった問題がある。
【先行技術文献】
【特許文献】
【０００５】
【特許文献１】特開平１０−１９４５７４号公報
【発明の概要】
【発明が解決しようとする課題】
【０００６】
本発明の実施形態が解決しようとする課題は、製本処理において、他のシートと区別するシートを普通紙により実現するシート処理装置を提供することである。
【課題を解決するための手段】
【０００７】
実施形態のシート処理装置は、シートを搬送する搬送部、前記シートに対して折り処理を施す折り手段、前記シートに綴じ処理を施す綴じ手段、及び冊子を製本する制御を行う制御部を有する。前記折り手段は、シート長手方向中央部からシート搬送方向上流へ所定寸法離れた第１の折り位置又はシート搬送方向下流へ所定寸法離れた第２の折り位置の何れか一方を折り位置として折り処理を施す。前記制御部は、前記折り処理が施され、前記折り位置を境として第１領域と当該第１領域よりも狭い第２領域を有する第１のシートと、前記折り処理が施されていない第２のシートとを併せて前記綴じ処理を施す制御を行う。
【図面の簡単な説明】
【０００８】
【図１】第１の実施形態における画像形成装置とシート処理装置のハードウェア構成を示す制御ブロック図。
【図２】第１の実施形態におけるシート処理装置の断面図。
【図３】第１の実施形態におけるシートの折り位置を示す折りユニットの断面図。
【図４】第１の実施形態における簡易製本モードの制御フローチャート。
【図５】第１の実施形態における冊子の外観模式図。
【図６】第２の実施形態における簡易製本モードの制御フローチャート。
【発明を実施するための形態】
【０００９】
以下、発明を実施するための実施形態について説明する。
（第１の実施形態）
【００１０】
第１の実施形態におけるシート処理装置は、折り処理が施されたシート（第１のシート）と折り処理を施されていないシート（第２のシート）とを混合して綴じる。シート処理装置は、例えばＰＣ（Ｐｅｒｓｏｎａｌ  Ｃｏｍｐｕｔｅｒ）などの外部のユーザ端末のプリンタドライバ画面や画像形成装置の操作部からの命令に従って上記の処理を行う。第１の実施形態では、製本する冊子の最前面である表表紙と最背面である裏表紙に第１のシートを使用した簡易製本モードによる製本処理を例にとって説明する。簡易製本モードでは、例として、Ａ４サイズの冊子を製本することとし、第１のシートには、Ａ３サイズのシートを使用する。尚、シートのサイズはこれらに限定されるものではない。また、以降明細書中の表紙とは、表表紙と裏表紙の両方を指す。
【００１１】
図１は、第１の実施形態における画像形成装置１００とシート処理装置２００のハードウェア構成を示す制御ブロック図である。画像形成装置１００は、主制御部１１０、給紙部１３０、スキャナ部１４０、プリンタ部１５０、操作部１６０、及び通信インターフェース（Ｉ／Ｆ）部１７０を有する。画像形成装置１００の各部は、それぞれバス１８０を介して接続される。
【００１２】
主制御部１１０は、ＣＰＵ（Ｃｅｎｔｒａｌ  Ｐｒｏｃｅｓｓｉｎｇ  Ｕｎｉｔ）或いはＭＰＵ（Ｍｉｃｒｏ  Ｐｒｏｃｅｓｓｉｎｇ  Ｕｎｉｔ）からなるプロセッサ１１２、メモリ１１４及び記憶装置１２０を有する。メモリ１１４は、例えば、半導体メモリであり、各種制御プログラムを格納するＲＯＭ（Ｒｅａｄ  Ｏｎｌｙ  Ｍｅｍｏｒｙ）１１６と、プロセッサ１１２に一時的な作業領域を提供するＲＡＭ（Ｒａｎｄｏｍ  Ａｃｃｅｓｓ  Ｍｅｍｏｒｙ）１１８を有する。記憶装置１２０は、印刷処理を行う印刷データを一時的に保存する。記憶装置１２０は、例えば、ハードディスクドライブやその他の磁気記憶装置、光学式記憶装置、フラッシュ・メモリ等の半導体記憶装置又はこれらの任意の組み合わせであって良い。主制御部１１０は、ＲＯＭ１１６或いは記憶装置１２０に格納された各種プログラム等に基づいて、各部を制御する。また、主制御部１１０は、シート処理装置２００の制御部２１０と通信する。
【００１３】
給紙部１３０は、カセット部と手差し部を有する。カセット部と手差し部は、それぞれ複数枚のシートを収容することが可能である。カセット部は、複数設けても良い。第１の実施形態におけるカセット部は、Ａ３サイズのシートを収容するカセットａと、Ａ４サイズのシートを収容するカセットｂを有する。給紙部１３０は、カセット部或いは手差し部に載置されるシートを１枚ずつ取り出し、プリンタ部１５０へ搬送する。
【００１４】
スキャナ部１４０は、原稿を画像として読み取る走査読取ユニット、原稿台、及び読取位置へ原稿を搬送する自動原稿送り装置を有する。走査読取ユニットは、原稿台或いは自動原稿送り装置にセットされた原稿の画像を読み取る。
【００１５】
プリンタ部１５０は、感光体ドラムを含む画像形成ユニットやトナーを現像剤とする現像ユニット等を有する。プリンタ部１５０は、スキャナ部１４０で読み取った画像データや、後述する通信Ｉ／Ｆ部１７０から受信した印刷データに基づいた画像をシートに印刷する。第１の実施形態における簡易製本モードでは、表紙の印刷と表紙以外のシートである中身のシートの印刷とで印刷方法が異なる。表紙の印刷の場合、プリンタ部１５０は、Ａ３サイズのシートにＡ４サイズの画像を２つ並べて印刷する。すなわち２ｉｎ１の印刷処理を行う。中身のシートの印刷の場合、プリンタ部１５０は、Ａ４サイズのシートに画像を印刷する。
【００１６】
操作部１６０は、各種の操作キーとタッチパネル式の表示部（図示せず）を有する。操作キーは、例えば、テンキー、リセットキー、ストップキー、スタートキー等を有する。表示部は、例えば、シートサイズ、コピー枚数、印刷濃度設定、或いは仕上げ（綴じ、折り、製本）等の印刷条件に関する指示項目を表示する。操作部１６０は、ユーザからの入力を各種操作キー或いは表示部から受け付ける。
【００１７】
通信Ｉ／Ｆ部１７０は、例えばＰＣや印刷サーバ等といった外部のユーザ端末とネットワークを介して接続するインターフェースである。通信Ｉ／Ｆ部１７０は、例えばＢｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ１２８４等の適切な無線又は有線のインターフェースを含む。通信Ｉ／Ｆ部１７０は、さらに、ＵＳＢ規格の接続端子が接続されるＵＳＢ接続部やパラレルインタフェース等を含んでも良い。主制御部１１０は、通信Ｉ／Ｆ部１７０を介してユーザ端末やＵＳＢデバイス、その他外部機器と通信する。通信Ｉ／Ｆ部１７０は、例えば、ユーザ端末から印刷データを受信する。
【００１８】
次にシート処理装置２００のハードウェア構成を説明する。シート処理装置２００は、制御部２１０、搬送部２３０、フィニッシャ部２５０、及びサドルユニット部３００を有する。シート処理装置２００の各部は、それぞれバス３５０を介して接続される。
【００１９】
制御部２１０は、プロセッサ２１２、メモリ２１４、及び記憶装置２２０を主体に構成される。メモリ２１４は、ＲＯＭ２１６とＲＡＭ２１８を有する。制御部２１０は、主制御部１１０から受信した情報や、ＲＯＭ２１６や記憶装置２２０に格納された各種プログラムに基づいて、シート処理装置２００を統括的に制御する。
【００２０】
搬送部２３０は、画像形成装置１００から搬送されるシートを、処理の内容に応じて所定の位置へ搬送する。フィニッシャ部２５０は、制御部２１０の指示に従い、シートに対してステイプル処理（綴じ処理）やソート処理を施す。サドルユニット部３００は、制御部２１０の指示に従い、シートに対して折り処理や中綴じ製本の処理を施す。
【００２１】
図２は、第１の実施形態におけるシート処理装置２００の断面図である。シート処理装置２００は、入口ローラ対２３２、第１分岐部材２３４、フィニッシャ部２５０、サドルユニット部３００、及び第１乃至第３搬送路２３６、２３８、２４０を有する。尚、第１乃至第３搬送路は、搬送部２３０である。搬送部２３０は、シートを搬送する複数の搬送ローラ対２４２を有する。
【００２２】
入口ローラ対２３２は、画像形成装置１００にて画像形成されたシートを受け取り、第１分岐部材２３４へ搬送する。第１分岐部材２３４は、シートの処理情報に基づく制御部２１０からの指示に従い、シートをフィニッシャ部２５０へ続く第１搬送路２３６又はサドルユニット部３００へ続く第２搬送路２３８へ搬送する。処理情報とは、例えば、ソート処理、ステイプル処理、及び折り処理などについての情報である。
【００２３】
フィニッシャ部２５０は、第２分岐部材２５２、第１排紙ローラ対２５４、第１固定トレイ２５６、出口ローラ対２５８、待機トレイ２６０、処理トレイ２６２、第１ステイプラ（綴じ手段）２６４、排紙ローラ２６６、及び可動トレイ２６８を有する。
【００２４】
第２分岐部材２５２は、第１搬送路２３６から搬送されるシートを、制御部２１０の指示に従い第１排紙ローラ対２５４或いは出口ローラ対２５８へ搬送する。第１排紙ローラ対２５４は、シートを第１固定トレイ２５６へ排紙する。出口ローラ対２５８は、シートを待機トレイ２６０へ搬送する。
【００２５】
待機トレイ２６０は、シートを一時的に保持することによって、シート搬送の流れを調整する。すなわち、待機トレイ２６０は、シート搬送下流におけるシートの排紙やシートのステイプル処理に要する時間を確保する。
【００２６】
処理トレイ２６２は、待機トレイ２６０の下方に配置される。処理トレイ２６２は、待機トレイ２６０から搬送されるシートを受け止める。処理トレイ２６２上のシートは、シート搬送方向の整合（縦整合）及びシートの幅方向の整合（横整合）が施される。排紙ローラ２６６は、整合されたシートを可動トレイ２６８へ排紙する。尚、シートは、ソート処理を施されてから排紙されても良い。
【００２７】
第１ステイプラ２６４は、処理トレイ２６２上のシートが可動トレイ２６８へ排紙される前に、シートの所定の位置にステイプル処理を施す。第１の実施形態における第１ステイプラ２６４は、シートの搬送方向後端部に２箇所ステイプルを行う。
【００２８】
可動トレイ２６８は、処理トレイ２６２から排紙されたシートを整合して積載する。第１の実施形態における可動トレイ２６８は、シートの積載量などに応じて昇降する。
【００２９】
次にサドルユニット部３００の説明をする。サドルユニット部３００は、積載部３０２、第２ステイプラ３１０、折りユニット（折り手段）３２０、第２排紙ローラ対３３２、及び第２固定トレイ３３４を有する。
【００３０】
積載部３０２は、第２搬送路２３８よりサドルユニット部３００へ搬送されるシートを一時的に立位で積載する。積載部３０２は、スタックトレイ３０４と、スタッカ３０６とを有する。スタックトレイ３０４はシートの面を支持する。スタッカ３０６は、シートの下端を受け止める。スタッカ３０６は、立位で積載されるシートの下端を支持するとともに、搬送方向のシートの端部の位置を整合する。積載部３０２に積載されたシートは、シートの搬送方向に直交する方向であるシートの幅方向にも整合される。
【００３１】
スタッカ３０６は、スタックトレイ３０４に沿って上下に移動する。スタッカ３０６は、第２ステイプラ３１０が綴じるシートの位置や、折りユニット３２０が折るシートの位置を調整する。スタッカ３０６が停止すると、第２ステイプラ３１０によるステイプルや折りユニット３２０による折り処理が開始する。
【００３２】
第２ステイプラ３１０は、シート束に対して中綴じ製本を施す場合に機能する。第１の実施形態における第２ステイプラ３１０は、シート幅方向に２つ並んで配置される。第２ステイプラ３１０は、ステイプラヘッド３１２とアンビル３１４を有する。ステイプラヘッド３１２とアンビル３１４とがシートを綴じる。
【００３３】
折りユニット３２０は、折りプレート３２２と折りローラ対３２４を有する。折りプレート３２２は、シートの搬送の妨げとならない位置で待機する。シートの折り位置が折りプレート３２２の前まで来ると、折りプレート３２２は、折りローラ対３２４に向かって移動する。折りプレート３２２の先端は、スタックトレイ３０４に積載されるシートの折り位置を突いて、回転する折りローラ対３２４のニップ部へ向けて押す。折りローラ対３２４は、折りプレート３２２に突かれたシートを挟圧搬送して折る。
【００３４】
第３分岐部材３３０は、折りユニット３２０により折り処理を施されたシートの搬送先を第２排紙ローラ対３３２又は処理トレイ２６２へ切り替える。折り処理を施したシートを排紙する場合、第３分岐部材３３０は、第２排紙ローラ対３３２へ搬送する。第２排紙ローラ対３３２は、シートを第２固定トレイ３３４へ排紙する。折り処理を施したシートにステイプル処理を施す場合、第３分岐部材３３０は、シートを第３搬送路２４０へ搬送する。第３搬送路２４０は、折りユニット３２０によって折られたシートを、折り目が搬送方向前方となる状態で、サドルユニット部３００の上部を通って出口ローラ対２５８へ搬送する。
【００３５】
図３は、第１の実施形態におけるシートの折り位置を示す折りユニットの断面図である。折りユニット３２０が表紙を折る場合、制御部２１０は、シートＰを立位状態で支持するスタッカ３０６の位置、すなわちシートの折り位置を表表紙の場合と裏表紙の場合とで変化させる。
【００３６】
折りユニット３２０が表表紙を折る場合、制御部２１０は折り位置を、例えばシートの搬送方向中央部である２つ折り位置Ｍからシート搬送方向下流へ略５ｍｍ離れた第１の折り位置Ｎにする。すなわち第１の折り位置３２２は、図３における２つ折り位置Ｍよりも、略５ｍｍ上方である。折りユニット３２０が裏表紙を折る場合、制御部２１０は折り位置を、例えば２つ折り位置Ｍからシート搬送方向上流へ略５ｍｍ離れた第２の折り位置にする。すなわち図３において、２つ折り位置Ｍよりも略５ｍｍ下方である。尚、２つ折り位置Ｍと第１の折り位置Ｎとの間隔Ｄは、上記略５ｍｍに限定するものではない。
【００３７】
次に第１の実施形態における簡易製本モードの制御フローを説明する。図４は、第１の実施形態における簡易製本モードの制御フローチャートである。
【００３８】
シート処理装置２００の制御部２１０は、印刷情報を取得する（ＡＣＴ４０１）。印刷情報は、印刷枚数やシートのサイズ、及び処理情報等である。制御部２１０は、印刷情報を画像形成装置１００の主制御部１１０から受信する。制御部２１０は、処理情報に従い簡易製本モードを開始する。（ＡＣＴ４０２）
【００３９】
制御部２１０は、画像形成装置１００の主制御部１１０から受信した印刷情報に基づいて画像形成装置１００から搬送されてくるシートが表紙であるか否かの判断を行う（ＡＣＴ４０３）。シートが表紙でない場合（ＡＣＴ４０３、Ｎｏ）、すなわちシートが中身のシートである場合、制御部２１０は、シートを処理トレイ２６２へ搬送する（ＡＣＴ４０４）。入口ローラ対２３２は、シートを第１分岐部材２３４へ搬送する。制御部２１０は、第１分岐部材２３４及び第２分岐部材２５２を制御して、中身のシートを第１搬送路２３６及び出口ローラ対２５８を介して待機トレイ２６０へ搬送する。待機トレイ２６０は、中身のシートを処理トレイ２６２へ搬送する。
【００４０】
一方、シートが表紙である場合（ＡＣＴ４０３、Ｙｅｓ）、制御部２１０はシートが表表紙であるか裏表紙であるかの判断を行う（ＡＣＴ４０５）。制御部２１０は、受け取った印刷情報を基に表表紙であるか裏表紙であるかの判断を行う。シートが表表紙である場合（ＡＣＴ４０５、Ｎｏ）、制御部２１０は表表紙に折り処理を施す（ＡＣＴ４０６）。入口ローラ対２３２は、画像形成装置１００から搬送される表紙を第１分岐部材２３４へ搬送する。第１分岐部材２３４は、第２搬送部２３８を介して表紙をサドルユニット部３００へ搬送する。サドルユニット部３００の折りユニット３２０は、第１の折り位置を折り位置として表表紙を折る。折りローラ対３２４は、折り処理が施されたシートを挟持搬送する。制御部２１０は、折り処理を施した表表紙を処理トレイ２６２へ搬送する（ＡＣＴ４０４）。第３分岐部材３３０は、折りローラ対３２４から搬送されるシートを、第３搬送路２４０へ搬送する。第３搬送路２４０は、出口ローラ対２５８を介してシートを待機トレイ２６０へ搬送する。待機トレイ２６０は、シートを処理トレイ２６２へ搬送する。シートが裏表紙である場合（ＡＣＴ４０５、Ｙｅｓ）、制御部２１０は裏表紙に折り処理を施す（ＡＣＴ４０７）。折りユニット３２０は、裏表紙を第２の折り位置で折る。制御部２１０は、折り処理を施した裏表紙を処理トレイ２６２へ搬送する（ＡＣＴ４０８）。処理トレイ２６２は、積載されるシート束に対して縦整合及び横整合を行う。第１ステイプラ２６４は、シート束にステイプル処理を施すことで冊子を製本する（ＡＣＴ４０９）。排紙ローラ２６６は、冊子を排紙する（ＡＣＴ４１０）。
【００４１】
図５は、第１の実施形態における冊子の外観模式図である。図５（ａ）は第１の実施形態におけるシート処理装置２００が製本する冊子の模式的な斜視図である。図５（ｂ）は、図５（ａ）のＡ―Ａ´を切断面とした断面図である。表紙の折り位置を第１の折り位置及び第２の折り位置とすることで、表紙は折り位置を境として第１領域αと第１領域よりも狭い第２領域βを有し、表紙の第１領域αはそれぞれ冊子の外側に位置する。言い換えると表紙は、２つ折り位置から離れた位置を折り位置としているため、折り位置からシート長手方向のそれぞれの端部までの長さが異なる。すなわち表紙はシート搬送方向後端部（以後、後端部）である開き側の端部が揃わず、冊子に対して内側に位置する第２領域βよりも外側に位置する第１領域αが突出する。ステイプル前のシート束が処理トレイ２６２上で縦整合される場合、表紙はそれぞれ第１領域αの後端部を基準として整合されるため、表紙のシート搬送方向先端部（以後、先端部）は、中身のシートよりもシート搬送方向下流へ向かって突出する。Ｂ―Ｂ´は、ステイプル位置を示す。制御部２１０は、ステイプル位置（綴じ位置）を予め設定された第１の綴じ位置よりも先端部に位置する第２の綴じ位置に設定する。第２の綴じ位置は、例えば、表紙の第２領域βの後端部から先端部に向かって少なくとも１ｍｍの間隔を設けた位置である。
【００４２】
上述した第１の実施形態によれば、表紙を２つ折り位置から所定距離だけ離した位置で折ることで、表紙の先端部が中身のシートの先端部よりも突出するため、より区別がつきやすくなる。表紙にも普通紙を使用しているため、ステイプル処理のミスも少ない。また、第１のシートの折り位置を境として、第２領域よりも広い第１領域を外側にしてステイプル処理を行うことで見栄えを損ねることもない。
【００４３】
尚、折り位置については上記実施形態に限るものではない。例えば、右綴じの冊子を製本する場合や搬送路の形状等によっては、表表紙の折り位置を第２の折り位置とし、裏表紙の折り位置を第１の折り位置としても良い。
（第２の実施形態）
【００４４】
第２の実施形態におけるシート処理装置は、第１の実施形態における第１の折り位置及び第２の折り位置を、製本する冊子の大きさに応じて変化させる。
【００４５】
図６は、第２の実施形態における簡易製本モードの制御フローチャートである。ＡＣＴ５０１は、第１の実施形態のＡＣＴ４０１と同様である。次に制御部２１０は、印刷情報に基づく製本する冊子の大きさを判定する（ＡＣＴ５０２）。冊子の大きさは、例えば、第２のシートを使用する中身のシートの大きさで判定する。冊子の大きさが、例えばＡ４サイズよりも大きい第１のサイズである場合、２つ折り位置Ｍと第１の折り位置Ｎとの間隔Ｄを広げる（ＡＣＴ５０３）。一方、冊子の大きさが第１のサイズよりも小さい第２のサイズである場合、間隔Ｄを狭める（ＡＣＴ５０４）。
【００４６】
ＡＣＴ５０３又はＡＣＴ５０４において間隔Ｄが定まると、制御部２１０は処理情報に従い簡易製本モードを開始する（ＡＣＴ５０５）。以降ＡＣＴ５０５からＡＣＴ５１３については、第１の実施形態におけるＡＣＴ４０２からＡＣＴ４１０と同様である。尚、ＡＣＴ５０２における冊子の大きさは第２のシートによる判定に限るものではない。表紙に使用する第１のシートの大きさで判定しても良い。
【００４７】
上記第２の実施形態によれば、第１の実施形態と同様の効果が得られると共に、冊子の大きさに応じて折り位置を変化させることで、より見栄えの良い冊子を製本することが出来る。
【００４８】
以上説明した少なくとも一つの実施形態によれば、表紙に第１のシートを使用することで、普通紙により中身のシートとの区別のつく冊子を製本することが出来る。
【００４９】
本発明は上記実施形態に限定されるものではなく、種々の変形が可能である。折り処理施された第１のシートは、表紙としての使用に限定されるものではなく、例えば、冊子の途中に章区切り紙として使用しても良い。この場合の第１のシートの折り位置は、第１の折り位置でも第２の折り位置でも良い。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
Ｍ…２つ折り位置
Ｎ…第１の折り位置
Ｐ…シート
α…第１領域
β…第２領域
１００…画像形成装置
２００…シート処理装置
２１０…制御部
２３０…搬送部
２６４…第１ステイプラ
３２０…折りユニット
【図１】
2014136615.tif 000003
【図２】
2014136615.tif 000004
【図３】
2014136615.tif 000005
【図４】
2014136615.tif 000006
【図５】
2014136615.tif 000007
【図６】
2014136615.tif 000008